(57)【要約】      （修正有）【課題】各圧縮機の寿命を均一化することができる信頼性にすぐれた空気調和装置を提供する。【解決手段】各圧縮機内の機構部の摺動面に潤滑油膜が十分に形成されない運転初期時、各圧縮機の積算時間が一定時間に達するまで、各圧縮機の最大運転周波数Ｆmaxを通常より低く制限する。また、各圧縮機の運転周波数の上昇速度を低く制御する。【選択図】図１
2007285535.tif 000002
【特許請求の範囲】
【請求項１】
複数台の圧縮機を備え、これら圧縮機の運転台数および運転周波数を空調負荷に応じて制御する空気調和装置において、
前記各圧縮機の運転時間をそれぞれ積算する積算手段と、
前記積算手段による各圧縮機の積算運転時間が一定時間に達するまで各圧縮機の最大運転周波数を低く制限する制御手段と、
を備えていることを特徴とする空気調和装置。
【請求項２】
複数台の圧縮機を備え、これら圧縮機の運転台数および運転周波数を空調負荷に応じて制御する空気調和装置において、
前記積算手段による各圧縮機の積算運転時間が所定時間に達するまで各圧縮機の運転周波数の上昇速度を低く制限する制御手段と、
を備えていることを特徴とする空気調和装置。
【発明の詳細な説明】
【技術分野】
【０００１】
この発明は、複数台の圧縮機を備え、これら圧縮機の運転台数および運転周波数を空調負荷に応じて制御する空気調和装置に関する。
【背景技術】
【０００２】
複数台の圧縮機を備え、これら圧縮機の運転台数および運転周波数を空調負荷に応じて制御する空気調和装置がある（例えば特許文献１，２，３）
このような空気調和装置では、各圧縮機の運転時間を平準化するため、ひいては各圧縮機の寿命を均一化するため、各圧縮機の起動の優先順位を入れ替える制御が採用される。例えば、各圧縮機の起動順位を空気調和装置の起動ごとにローテーションさせる制御、各圧縮機の起動順位を設定時間ごとにローテーションさせる制御などが採用される。
【特許文献１】特開２００２―２０６８１２号公報
【特許文献２】特開２００１―４１５２８号公報
【特許文献３】特開平４―２６８１６４号公報
【発明の開示】
【発明が解決しようとする課題】
【０００３】
上記のローテーションによって各圧縮機の運転時間を平準化できるが、圧縮機の製造直後や据付け直後は圧縮機内の機構部の摺動面に潤滑油膜が十分に形成されないため、単に運転時間を平準化しただけでは各圧縮機の寿命を均一化することは困難である。
【０００４】
この発明は、上記の事情を考慮したもので、その目的とするところは、各圧縮機の寿命を確実に均一化することができる信頼性にすぐれた空気調和装置を提供することにある。
【課題を解決するための手段】
【０００５】
この発明の空気調和装置は、複数台の圧縮機を備え、これら圧縮機の運転台数および運転周波数を空調負荷に応じて制御するものであって、前記各圧縮機の運転時間をそれぞれ積算する積算手段と、これら積算運転時間が一定時間に達するまで各圧縮機の最大運転周波数を低く制限する制御手段と、を備えている。
【発明の効果】
【０００６】
この発明の空気調和装置によれば、各圧縮機の寿命を確実に均一化することが可能となり、信頼性が向上する。
【発明を実施するための最良の形態】
【０００７】
［１］以下、この発明の第１の実施形態について図面を参照して説明する。  
図１に示すように、２台の室外機Ａ，Ｂと複数台の室内機Ｃ１，Ｃ２，…Ｃｎとが冷媒配管２０により接続され、マルチタイプの空気調和装置が構成されている。
【０００８】
室外機Ａは、２台の圧縮機１ａ，１ｂ、これら圧縮機に対する駆動電力を出力するインバータ２ａ，２ｂ、および制御部３を有している。室外機Ｂは、２台の圧縮機１１ａ，１１ｂ、これら圧縮機１１ａ，１１ｂに対する駆動電力を出力するインバータ１２ａ，１２ｂ、および制御部１３を有している。室内機Ｃ１，Ｃ２，…Ｃｎは、それぞれ制御部３０を有している。これら制御部３０は、室外機Ａ，Ｂの制御部３，１３に信号線３１により接続されている。
【０００９】
室外機Ａ，Ｂの制御部３，１３は、信号線３２により相互に接続されていて、選択的に室外機Ａの制御部３が空気調和装置の主制御部として室内機Ｃ１，Ｃ２，…Ｃｎの空調負荷の総和に応じて圧縮機１ａ，１ｂ，１１ａ，１１ｂの運転台数および運転周波数Ｆを制御する。
【００１０】
また、室外機Ａの制御部３は、上記運転台数の制御に伴って圧縮機１ａ，１ｂの運転時間をそれぞれ積算する積算手段と、この積算手段の各積算時間を逐次に記憶するメモリ（例えばＥＥＰＲＯＭ）４と、このメモリ４内の各積算運転時間が少ない圧縮機から起動させ、各積算運転時間がそれぞれ一定時間（所期運転期間）に達するまで圧縮機１ａ，１ｂの最大運転周波数Ｆmaxを低く制限する制御手段とを備えている。
【００１１】
室外機Ｂの制御部１３は、上記運転台数の制御に伴って圧縮機１１ａ，１１ｂの運転時間をそれぞれ積算する積算手段と、この積算手段の各積算時間を逐次に記憶するメモリ（例えばＥＥＰＲＯＭ）１４と、このメモリ１４内の各積算運転時間が少ない圧縮機から起動させ、各積算運転時間がそれぞれ一定時間（所期運転期間）に達するまで圧縮機１１ａ，１１ｂの最大運転周波数Ｆmaxを低く制限する制御手段とを備えている。
【００１２】
つぎに、作用について、図２を参照しながら説明する。  
室内機Ｃ１，Ｃ２，…Ｃｎの空調負荷の総和に応じて、室外機Ａの制御部３で圧縮機１ａ，１ｂ，１１ａ，１１ｂの運転台数および運転周波数Ｆが決定される。ｋのとき、メモリ４、メモリ１４内に記憶されている圧縮機１ａ，１ｂ，１１ａ，１１ｂの積算運転時間が比較され、積算運転時間が少ない圧縮機から優先的に起動される。
【００１３】
これに伴い、室外機Ａでは、圧縮機１ａ，１ｂの運転時間がそれぞれ積算され、これら積算時間がメモリ４に逐次に記憶される。同様に、室外機Ｂでも、圧縮機１１ａ，１１ｂの運転時間がそれぞれ積算され、これら積算時間がメモリ１４に逐次に記憶される。
【００１４】
空調負荷に応じて運転周波数Ｆが制御されるが、メモリ４内の圧縮機１ａの積算運転時間と所定時間とが比較され、積算運転時間が一定時間（所期運転期間）に達するまでは、図３に示すように、圧縮機１ａの最大運転周波数Ｆmaxが通常より低い値に制限される。圧縮機の製造直後や据付け直後は圧縮機内の機構部の摺動面に潤滑油膜が十分に形成されないため、対策として、積算運転時間が所定時間Ｔに達するまで、最大運転周波数Ｆmaxが通常より低い値に制限される。
【００１５】
同様に、積算運転時間が一定時間（所期運転期間）に達するまで、圧縮機１ｂ，１１ａ，１１ｂの最大運転周波数Ｆmaxが通常より低い値に制限される。
【００１６】
このように、各圧縮機内の機構部の摺動面に潤滑油膜が十分に形成されない運転初期時は、各圧縮機の最大運転周波数Ｆmaxを通常より低い値に制限することにより、各圧縮機の寿命を確実に均一化することができ、空気調和装置としての信頼性が大幅に向上する。
【００１７】
しかも、各圧縮機の起動順位を各圧縮機の積算運転時間の少ないものから起動する制御を採用しているので、各圧縮機の運転時間を平準化することができ、この点でも各圧縮機の寿命の均一化に大きく貢献することができる。
【００１８】
［２］この発明の第２の実施形態について説明する。  
室外機Ａ，Ｂの制御部３，１３は、選択的に室外機Ａｎｏ制御部３が空気調和装置の主制御部として室内機Ｃ１，Ｃ２，…Ｃｎの空調負荷の総和に応じて圧縮機１ａ，１ｂ，１１ａ，１１ｂの運転台数および運転周波数Ｆを制御する。
【００１９】
また、室外機Ａの制御部３は、上記運転台数の制御に伴って圧縮機１ａ，１ｂの運転時間をそれぞれ積算する積算手段と、この積算手段の各積算時間を逐次に記憶するメモリ（例えばＥＥＰＲＯＭ）４と、このメモリ４内の各積算運転時間が少ない圧縮機から起動させ、各積算運転時間がそれぞれ所定時間Ｔに達するまで圧縮機１ａ，１ｂの運転周波数Ｆの上昇速度を通常より低く制限する制御手段とを備えている。
【００２０】
室外機Ｂの制御部１３は、上記運転台数の制御に伴って圧縮機１１ａ，１１ｂの運転時間をそれぞれ積算する積算手段と、この積算手段の各積算時間を逐次に記憶するメモリ（例えばＥＥＰＲＯＭ）１４と、このメモリ１４内の各積算運転時間が少ない圧縮機から起動させ、各積算運転時間がそれぞれ所定時間Ｔに達するまで圧縮機１１ａ，１１ｂの運転周波数Ｆの上昇速度を通常より低く制限する制御手段とを備えている。
【００２１】
所定時間Ｔは、第１の実施形態の一定時間（所期運転期間）と同じでも、あるいはそれより短い時間でも、そのいずれでもよい。
【００２２】
他の構成は、第１の実施形態と同じである。よって、その説明は省略する。
【００２３】
作用について説明する。  
室内機Ｃ１，Ｃ２，…Ｃｎの空調負荷の総和に応じて、室外機Ａの制御部３にて圧縮機１ａ，１ｂ，１１ａ，１１ｂの運転台数および運転周波数Ｆが制御される。このとき、メモリ４、メモリ１４内に記憶されている圧縮機１ａ，１ｂ，１１ａ，１１ｂの積算運転時間が比較され、積算運転時間が少ない圧縮機から優先的に起動される。これに伴い、室外機Ａでは、圧縮機１ａ，１ｂの運転時間がそれぞれ積算され、これら積算時間がメモリ４に逐次に記憶される。同様に、室外機Ｂでも、圧縮機１１ａ，１１ｂの運転時間がそれぞれ積算され、これら積算時間がメモリ１４に逐次に記憶される。
【００２４】
空調負荷に応じて運転周波数Ｆが制御されるが、メモリ４内の圧縮機１ａの積算運転時間と所定時間Ｔとが比較され、積算運転時間が所定時間Ｔに達するまでは、図３に示すように、圧縮機１ａの運転周波数Ｆの上昇速度が通常（図示破線）より低い値に制限される。圧縮機の製造直後や据付け直後は圧縮機内の機構部の摺動面に潤滑油膜が十分に形成されないため、対策として、積算運転時間が所定時間Ｔに達するまで、運転周波数Ｆの上昇速度が通常より低い値に制限される。
【００２５】
同様に、積算運転時間が時間時間Ｔに達するまで、圧縮機１ｂ，１１ａ，１１ｂの運転周波数Ｆの上昇速度がそれぞれ通常より低い値に制限される。
【００２６】
このように、各圧縮機内の機構部の摺動面に潤滑油膜が十分に形成されない運転初期時は、各圧縮機の運転周波数Ｆの上昇速度を通常より低い値に制限することにより、各圧縮機の寿命を確実に均一化することができ、空気調和装置としての信頼性が大幅に向上する。
【００２７】
しかも、各圧縮機の起動順位を各圧縮機の積算運転時間の少ないものから起動する制御を採用しているので、各圧縮機の運転時間を平準化することができ、この点でも各圧縮機の寿命の均一化に大きく貢献することができる。
【００２８】
なお、この発明は上記各実施形態では、２台の
室外機にそれぞれ２台の圧縮機を有した空気調和装置の例を説明したが、これに限定されるものではなく、例えば、３台以上の室外機を有した空気調和装置にも適用できるし、１台の室外機に１台または３台以上の圧縮機を有した空気調和装置にも適用でき、要旨を変えない範囲で種々変形実施可能である。
【図面の簡単な説明】
【００２９】
【図１】各実施形態の構成を示す図。
【図２】第１の実施形態の作用を説明するための図。
【図３】第２の実施形態の作用を説明するための図。
【符号の説明】
【００３０】
Ａ，Ｂ…室外機、Ｃ１，Ｃ２，…Ｃｎ……室内機、１ａ，１ｂ，１１ａ，１１ｂ…圧縮機、２ａ，２ｂ，１２ａ，１２ｂ…インバータ、３，１３…制御部、４，１４…メモリ、２０…冷媒配管、３０…制御部
【図１】
2007285535.tif 000003
【図２】
2007285535.tif 000004
【図３】
2007285535.tif 000005